(57)【要約】【課題】  介護者が直接脚部の持ち上げに介在することなく脚部が持ち上げられることで、介護者の負担が軽減され、入浴作業も容易な車椅子入浴装置を提供することにある。【解決手段】  乗座部が、入浴者が座る座部と、背もたれ部と、座部の端部に扇動自在に垂下して設けられ入浴者の足を載置する脚部とを備え、乗座部が乗座固定位置に接近するに従って脚部を扇動させて略水平になるように駆動する脚上機構を設けたことを特徴とする。【選択図】図１
2008194183.tif 000002
【特許請求の範囲】
【請求項１】
入浴者を乗せる乗座部と該乗座部を保持し移動させる台車部とからなる車椅子を有し、該乗座部だけを浴槽内の乗座固定位置に移動・固定させ、該台車部を該浴槽の外底部の台車固定位置に固定待機させる車椅子用入浴装置において、
該乗座部が、該入浴者が座る座部と、背もたれ部と、該座部の端部に扇動自在に垂下して設けられ該入浴者の足を載置する脚部とを備え、
該乗座部が該乗座固定位置に接近するに従って該脚部を扇動させて略水平になるように駆動する脚上機構を設けたことを特徴とする車椅子用入浴装置。
【請求項２】
前記脚上機構が、前記浴槽の前記乗座部が進入する開口付近から所定の傾斜を有して下方に垂下する脚上カムプレートと、前記脚部の裏面に乗上ローラとを備え、
該乗上ローラが、該脚上カムプレートの上面を傾斜に沿って走行することにより、該脚部が略水平になるように駆動することを特徴とする請求項１記載の車椅子用入浴装置。
【請求項３】
前記乗座部が前記乗座固定位置に接近するに従って、前記脚上カムプレートの下端を上昇させる跳上ガイドを備えることを特徴とする請求項２記載の車椅子用入浴装置。
【請求項４】
前記乗上ローラが、前記浴槽の内底に当接して走行することにより前記脚部を略水平状態に保つことを特徴とする請求項２又は請求項３記載の車椅子用入浴装置。
【請求項５】
複数のローラが縦列に設けられ前記脚部の裏面から突出して揺動自在に設けられた補助ローラ部を備えることを特徴とする請求項２〜請求項４のいずれかに記載の車椅子用入浴装置。
【発明の詳細な説明】
【技術分野】
【０００１】
本発明は、車椅子が台車部と乗座部とからなり、入浴時に乗座部だけを台車部から分離して浴槽内に搬送する車椅子入浴装置に関する。
【背景技術】
【０００２】
従来より、入浴者を乗せる乗座部と乗座部を保持し移動させる台車部とからなる車椅子を有し、乗座部だけを浴槽内の乗座固定位置に移動・固定させ、台車部を浴槽外底の台車固定位置に固定待機させる車椅子入浴装置が用いられている（例えば特許文献１）。
【０００３】
従来の車椅子入浴装置は、乗座部が座部、背もたれ部及び脚部からなる。そして、乗座部を浴槽内に搬入する場合には、介護者が脚部を上に持ち上げて略水平にした後、乗座部だけを浴槽内の乗座固定位置に移動・固定させ、台車部を浴槽外底の台車固定位置に固定待機させるようにする。
【特許文献１】特開２００５−１８５４４０号公報
【発明の開示】
【発明が解決しようとする課題】
【０００４】
しかしながら、従来の車椅子入浴装置では、介護者が乗座部の脚部を持ち上げて略水平にしなければならず、介護者の負担が大きいと共に、作業が煩雑である。
【０００５】
本発明は、このような事情に鑑みてなされたもので、介護者が直接脚部の持ち上げに介在することなく脚部が持ち上げられることで、介護者の負担が軽減され、入浴作業も容易な車椅子入浴装置を提供することにある。
【課題を解決するための手段】
【０００６】
請求項１記載の車椅子入浴装置は、乗座部が、入浴者が座る座部と、背もたれ部と、座部の端部に扇動自在に垂下して設けられ入浴者の足を載置する脚部とを備え、乗座部が乗座固定位置に接近するに従って脚部を扇動させて略水平になるように駆動する脚上機構を設けたことを特徴とする。
【０００７】
請求項２記載の車椅子入浴装置は、脚上機構が、浴槽の乗座部が進入する開口付近から所定の傾斜を有して下方に垂下する脚上カムプレートと、脚部の裏面に乗上ローラとを備え、乗上ローラが、脚上カムプレートの上面を傾斜に沿って走行することにより、脚部が略水平になるように駆動することを特徴とする。
【０００８】
請求項３記載の車椅子入浴装置は、乗座部が乗座固定位置に接近するに従って、脚上カムプレートの下端を上昇させる跳上ガイドを備えることを特徴とする。
【０００９】
請求項４記載の車椅子入浴装置は、乗上ローラが、浴槽の内底に当接して走行することにより脚部を略水平状態に保つことを特徴とする。
【００１０】
請求項５記載の車椅子入浴装置は、複数のローラが縦列に設けられ脚部の裏面から突出して揺動自在に設けられた補助ローラ部を備えることを特徴とする。
【発明の効果】
【００１１】
請求項１の発明によれば、乗座部が乗座固定位置に接近するに従って脚部を扇動させて略水平になるように駆動する脚上機構を設けたことから、介護者が直接脚部の持ち上げに介在することなく脚部が持ち上げられることから、介護者の負担が軽減され、入浴作業も容易になる。
【００１２】
請求項２の発明によれば、浴槽の乗座部が進入する開口付近から所定の傾斜を有して下方に垂下する脚上カムプレートと、脚部の裏面に乗上ローラとを備え、乗上ローラが、脚上カムプレートの上面を傾斜に沿って走行することから、脚部の急峻な上昇を抑え、脚部が徐々に略水平に持ち上げられ、乗座部への座り心地を維持したまま入浴者の足を略水平にさせることができる。
【００１３】
請求項３の発明によれば、跳上ガイドが、乗座部が乗座固定位置に接近するに従って脚上カムプレートの下端を上昇させることから、より滑らかな動作で脚部が徐々に略水平に持ち上げることができる。
【００１４】
請求項４の発明によれば、乗上ローラが、浴槽の内底に当接して走行することにより脚部を略水平状態に保つことで、浴槽内での乗座部の走行を安定させることができる。
【００１５】
請求項５の発明によれば、複数のローラが縦列に設けられ脚部の裏面から突出して揺動自在に設けられた補助ローラ部を備えることから、浴槽の内底と脚上カムプレートとの間に段差がある場合でも、その両方にローラが接して浴槽入口での乗座部の走行を安定させることができる。
【発明を実施するための最良の形態】
【００１６】
以下、本発明の形態について図面を参照しながら具体的に説明する。図１は、本発明に係る車椅子用入浴装置の構造例を示す説明図である。図２は、同車椅子用入浴装置に用いる車椅子の構造を示す説明図である。図３は、同車椅子用入浴装置の動作を示す説明図である。図４は、同車椅子用入浴装置の動作を示す説明図である。
【００１７】
図において、車椅子用入浴装置１は、入浴者を乗せる乗座部１０と乗座部１０を保持し移動させる台車部３０とからなる車椅子３を有し、乗座部１０だけを浴槽５内の乗座固定位置に移動・固定させ、台車部３０を浴槽５の浴槽外底５ｂの台車固定位置８に固定待機させることで、車椅子３の乗座部１０に乗った入浴者が、乗座部１０ごと入浴できる入浴装置である。尚、浴槽５の乗座部１０が進入する部分には開口が設けられ、開口を塞ぐように、開閉自在の扉６が設けられている。また、浴槽５の後方には、浴槽５にお湯を供給するための貯湯タンク７が設けられている。
【００１８】
車椅子３の乗座部１０は、入浴者が座る座部１１と、入浴者が背をよりかける背もたれ部１２と、座部１１の端部に扇動自在に垂下して設けられ入浴者の足を載置する脚部１３とを備えている。座部１１、背もたれ部１２及び脚部１３は、入浴者の体が接しても痛くないような防水性のあるクッション材で作られており、それぞれを金属製の骨材である座部フレーム１１ａ、背もたれ部フレーム１２ａ及び脚部フレーム１３ａで支持している。そして、座部フレーム１１ａの一端に背もたれ部フレーム１２ａが扇動自在に起立して支持され、座部フレーム１１ａの他端に脚部フレーム１３ａが扇動自在に垂下して支持されている。また、乗座部１０は、座部フレーム１１ａが、金属製の骨材である乗座部ベースフレーム１５に支持され、乗座部ベースフレーム１５には、乗座部１０が浴槽内底５ａを走行可能に乗座部ローラ１６が設けられている。
【００１９】
また、乗座部１０の脚部フレーム１３ａの裏面からは、乗上ローラフレーム２０が伸び、乗上ローラフレーム２０の先端には回転自在の乗上ローラ２１が設けられている。また、乗上ローラフレーム２０の途中からはＴ字状に補助ローラフレーム２２が伸び、補助ローラフレーム２２の先端にはへ字状の補助ローラプレート２４が中央で揺動自在に設けられている。この補助ローラプレート２４の両端には、それぞれ回転自在に補助ローラ２３が設けられている。すなわち、補助ローラプレート２４と補助ローラプレート２４に縦列に設けられた補助ローラ２３とにより、補助ローラ部が形成されている。尚、補助ローラプレート２４及び補助ローラ２３の位置を規制するためのコイルバネ２６が、補助ローラプレート２４と乗上ローラフレーム２０との間に架け渡されている。
【００２０】
車椅子３の台車部３０は、乗座部１０を載置し保持する金属製の骨材である台車ベースフレーム３１が設けられ、台車ベースフレーム３１の下方４箇所に車椅子３が移動するためのキャスタ３２を備えている。また、乗座部１０と台車部３０とを着脱自在につなぎ止める機構として、フック状の連結機構１７及び連結機構３３が、乗座部ベースフレーム１５と台車ベースフレーム３１にそれぞれ設けられている。
【００２１】
また、台車部３０の台車ベースフレーム３１の前方上部には、この前方上部からさらに前方に向かって傾斜を有して下方に垂下する細幅状の板材である脚上カムプレート３５が設けられている。この脚上カムプレート３５は、上端がカム軸３６で支持され、扇動自在に設けられている。
【００２２】
浴槽５の前方下方の浴槽外底５ｂには、台車部３０を固定待機させるスペースが設けられ、この台車固定位置８には、浴槽５から突出する棒状の跳上ガイドフレーム４１が設けられている。また、跳上ガイドフレーム４１の先端には、回転自在に跳上ガイドローラ４０が設けられている。
【００２３】
以上のような構造を有する車椅子用入浴装置１の動作を説明する。まず、図２に示すように、台車部３０に乗座部１０が載置・連結された状態の車椅子３に、入浴者が座る。次に、浴槽５の扉６を開いた状態で、車椅子３を後ろ向きで浴槽５の開口に押し当てるようにする。すると、浴槽内底５ａが乗座部１０と台車部３０との間に入り込むようになり、乗座部１０が浴槽内底５ａに乗り上げ、乗座部ローラ１６が浴槽内底５ａを走行する。また、台車部３０が浴槽外底５ｂの台車固定位置８に移動する。この時、連結機構１７及び３３が解除される。
【００２４】
また、乗座部１０が台車部３０と分離して走行し始めると、乗座部１０の乗上ローラ２１が、脚上カムプレート３５の上面を走行し始める。台車部３０が台車固定位置８に移動するにつれて、脚上カムプレート３５の上端が浴槽５の開口付近から傾斜を有して下方に垂下する位置になり、脚上カムプレート３５が乗上ローラ２１を徐々に上方に押し上げていく。図３に示すように、乗上ローラ２１が押し上げられることにより、乗上ローラフレーム２０を介して脚部フレーム１３ａも裏面から押し上げられ、脚部１３が略水平になる方向に扇動して駆動させられることになる。また、台車ベースフレーム３１の下方を抜けて跳上ガイドフレーム４１が、台車部３０の前方に抜け出るような位置関係となる。すると、跳上ガイドフレーム４１の先端に設けられている跳上ガイドローラ４０が、脚上カムプレート３５の底面に当接し、脚上カムプレート３５の下端を上昇させはじめる。これに合わせて、乗上ローラ２１も一層上昇するようになる。
【００２５】
そして、脚部１３が略水平になった状態でさらに乗座部１０が浴槽内底５ａに向かって進むと、補助ローラ２３の一方が浴槽内底５ａに乗り上げ、補助ローラ２３の他方が脚上カムプレート３５に接するようになる。そして、補助ローラ２３のそれぞれが揺動することにより、浴槽内底５ａと脚上カムプレート３５との段差を乗り上げるようにして乗座部１０が浴槽内底５ａに進入していく。さらに進むと、乗座部１０が乗座部ローラ１６と乗上ローラ２１とで浴槽内底５ａを走行するようになる。最終的には、図１に示すように、台車部３０が台車固定位置８に収まると共に、乗座部１０が浴槽５の奥の乗座部固定位置まで入り込むことになる。この状態で、浴槽５の扉６を閉め、浴槽５内に貯湯タンク７からお湯を供給することにより、入浴者は足を伸ばした状態で入浴できることとなる。
【００２６】
尚、入浴が終わった時は、まず浴槽５内のお湯を貯湯タンク７に戻し、扉６を開け、乗座部１０を前方向に走行させる。すると、乗座部１０が乗座部ローラ１６と乗上ローラ２１とで浴槽内底５ａを走行する。そして、浴槽５の開口付近で、補助ローラ２３のそれぞれが揺動することにより、浴槽内底５ａと脚上カムプレート３５とに別々の補助ローラ２３が接して浴槽内底５ａと脚上カムプレート３５との段差を跨ぐようになって、乗座部１０が走行する。そして、乗上ローラ２１が脚上カムプレート３５に到達する。脚上カムプレート３５が、浴槽５の開口付近から傾斜を有して下方に垂下していることから、その傾斜に沿って乗上ローラ２１が下がり、それに合わせて脚部１３も座部１１に対して垂下するように扇動するようになる。そして、乗座部１０と台車部３０との連結機構１７及び３３が動作し、台車部３０が前に出つつ、乗座部１０が台車部３０の上に乗ってそれぞれが連結されることになり、車椅子３が浴槽５から離れて図２に示すような状態になる。
【００２７】
以上のように、本実施例の車椅子用入浴装置１によれば、乗上ローラフレーム２０、乗上ローラ２１及び脚上カムプレート３５により、乗座部１０が乗座固定位置に接近するに従って脚部１３を扇動させて略水平になるように駆動する脚上機構が構成され、脚上機構が、乗座部１０が乗座固定位置に接近するに従って脚部１３を扇動させて略水平になるように駆動する介護者が直接脚部の持ち上げに介在することなく脚部１３が持ち上げられることから、介護者の負担が軽減され、入浴作業も容易になる。
【００２８】
また、乗上ローラ２１が、脚上カムプレート３５の上面を傾斜に沿って走行することから、脚部１３の急峻な上昇を抑え、脚部１３が徐々に略水平に持ち上げられ、乗座部１０への座り心地を維持したまま入浴者の足を略水平にさせることができる。
【００２９】
さらに、跳上ガイドフレーム４１及び跳上ガイドローラ４０とからなる跳上ガイドが、乗座部１０が乗座固定位置に接近するに従って脚上カムプレート３５の下端を上昇させることから、より滑らかな動作で脚部１３を徐々に略水平に持ち上げることができる。
【００３０】
さらに、乗上ローラ２１が、浴槽内底５ａに当接して走行することにより脚部１３を略水平状態に保つことで、浴槽５内での乗座部１０の走行を安定させることができる。
【００３１】
さらに、複数のローラが縦列に設けられ脚部の裏面から突出して揺動自在に設けられた補助ローラ部を備えることから、浴槽内底５ａと脚上カムプレート３５との間に段差がある場合でも、その両方にローラが接して浴槽５の開口での乗座部１０の走行を安定させることができる。
【００３２】
尚、本実施例では、脚上カムプレート３５を台車部３０に設けたが、例えば浴槽５に設けることも可能であり、脚上カムプレート３５の備え付けられる位置により制限させるものではない。また、本実施例では、跳上ガイド（跳上ガイドフレーム４１及び跳上ガイドローラ４０）を浴槽５に設けたが、例えば台車部３０に設けることも可能であり、跳上ガイドの備え付けられる位置により制限させるものではない。
【産業上の利用可能性】
【００３３】
以上のように、介護者が直接脚部の持ち上げに介在することなく脚部が持ち上げられることで、介護者の負担が軽減され、入浴作業も容易な車椅子入浴装置を提供することができる。
【図面の簡単な説明】
【００３４】
【図１】本発明に係る車椅子用入浴装置の構造例を示す説明図である。
【図２】同車椅子用入浴装置に用いる車椅子の構造を示す説明図である。
【図３】同車椅子用入浴装置の動作を示す説明図である。
【図４】同車椅子用入浴装置の動作を示す説明図である。
【符号の説明】
【００３５】
１・・・・・車椅子用入浴装置
３・・・・・車椅子
５・・・・・浴槽
５ａ・・・・浴槽内底
５ｂ・・・・浴槽外底
６・・・・・扉
７・・・・・貯湯タンク
８・・・・・台車固定位置
１０・・・・乗座部
１１・・・・座部
１１ａ・・・座部フレーム
１２・・・・背もたれ部
１２ａ・・・背もたれ部フレーム
１３・・・・脚部
１３ａ・・・脚部フレーム
１４・・・・レッグレスト
１５・・・・乗座部ベースフレーム
１６・・・・乗座部ローラ
１７・・・・連結機構
２０・・・・乗上ローラフレーム
２１・・・・乗上ローラ
２２・・・・補助ローラフレーム
２３・・・・補助ローラ
２４・・・・補助ローラプレート
２５・・・・補助ローラプレート軸
２６・・・・コイルバネ
３０・・・・台車部
３１・・・・台車ベースフレーム
３２・・・・キャスタ
３３・・・・連結機構
３５・・・・脚上カムプレート
３６・・・・カム軸
４０・・・・跳上ガイドローラ
４１・・・・跳上ガイドフレーム
【図１】
2008194183.tif 000003
【図２】
2008194183.tif 000004
【図３】
2008194183.tif 000005
【図４】
2008194183.tif 000006